(57)【要約】【課題】循環流路内の液体を効率よく排出できる液体噴射装置、及び液体噴射装置における液体排出方法を提供する。【解決手段】ノズル１２から液体を噴射する液体噴射部１３と、液体供給源１４から液体をノズル１２に供給可能に設けられた供給流路１５と、両端が供給流路１５と接続され、供給流路１５と循環流路３６を形成する帰還流路３５と、帰還流路３５に接続され、帰還流路３５内と外部とを連通可能な連通流路３８と、循環流路３６内の流体を流動可能な吸引ポンプ２３及び循環ポンプ３７と、を備え、連通流路３８により帰還流路３５が外部と連通した状態で吸引ポンプ２３及び循環ポンプ３７を駆動して、帰還流路３５内の液体を供給流路１５側に排出する帰還流路内置換動作を行う。【選択図】図８
2019051635.tif 000002
【特許請求の範囲】
【請求項１】
ノズルから液体を噴射する液体噴射部と、
液体供給源から前記液体を前記ノズルに供給可能に設けられた供給流路と、
両端が前記供給流路と接続され、該供給流路と循環流路を形成する帰還流路と、
前記帰還流路に接続され、該帰還流路内と外部とを連通可能な連通流路と、
前記循環流路内の流体を流動可能なポンプと、
を備え、
前記連通流路により前記帰還流路が外部と連通した状態で前記ポンプを駆動して、該帰還流路内の前記液体を前記供給流路側に排出する帰還流路内置換動作を行うことを特徴とする液体噴射装置。
【請求項２】
前記液体噴射部に負圧を印加して該液体噴射部内の前記流体を外部へ排出させる前記ポンプとして機能する吸引ポンプを備え、
前記帰還流路内置換動作を行った後、前記帰還流路を外部と非連通としかつ前記供給流路において前記液体供給源が接続される上流端が外部と連通した状態で前記吸引ポンプを駆動して、前記供給流路内の前記液体を、前記液体噴射部を介して排出する供給流路内置換動作を行うことを特徴とする請求項１に記載の液体噴射装置。
【請求項３】
前記吸引ポンプを駆動して前記帰還流路内置換動作を行うことを特徴とする請求項２に記載の液体噴射装置。
【請求項４】
前記供給流路の上流端を外部と非連通とした状態で前記帰還流路内置換動作を行うことを特徴とする請求項１〜請求項３のうち何れか一項に記載の液体噴射装置。
【請求項５】
前記帰還流路は、第１端が前記供給流路の第１位置に接続され、前記第１端とは反対側の第２端が前記供給流路における前記第１位置よりも前記ノズル側となる第２位置に接続され、
前記ポンプとして機能する循環ポンプは、前記帰還流路において前記連通流路が接続された接続位置と前記第１位置との間に配置され、
前記帰還流路内置換動作を行った後、前記帰還流路を外部と非連通とした状態で前記循環ポンプを駆動する循環動作を行い、
前記循環動作を行った後、前記供給流路内の前記液体を外部に排出する供給流路内置換動作を行うことを特徴とする請求項１〜請求項４のうち何れか一項に記載の液体噴射装置。
【請求項６】
前記循環流路に設けられ、該循環流路における流動方向への前記流体の流れを許容し、前記流動方向とは反対の方向への前記流体の流れを抑制する一方向弁を備え、
前記ポンプとして機能する循環ポンプは、前記循環流路内の前記流体を前記流動方向に流動させることを特徴とする請求項１〜請求項５のうち何れか一項に記載の液体噴射装置。
【請求項７】
ノズルから液体を噴射する液体噴射部と、
液体供給源から前記液体を前記ノズルに供給可能に設けられた供給流路と、
両端が前記供給流路と接続され、該供給流路と循環流路を形成する帰還流路と、
前記帰還流路に接続され、該帰還流路内と外部とを連通可能な連通流路と、
を備える液体噴射装置の液体排出方法であって、
前記連通流路により前記帰還流路が外部と連通した状態で、該帰還流路内の前記液体を前記供給流路側に排出する帰還流路内置換動作を行うことを特徴とする液体噴射装置の液体排出方法。
【請求項８】
前記帰還流路内置換動作を行った後、前記帰還流路を外部と非連通としかつ前記供給流路において前記液体供給源が接続される上流端が外部と連通した状態で、前記供給流路内の前記液体を、前記液体噴射部を介して排出する供給流路内置換動作を行うことを特徴とする請求項７に記載の液体噴射装置の液体排出方法。
【請求項９】
前記帰還流路に配置され、前記循環流路内の流体を流動可能な循環ポンプを備え、
前記帰還流路内置換動作を行った後、前記帰還流路を外部と非連通とした状態で前記循環ポンプを駆動する循環動作を行い、
前記循環動作を行った後、前記供給流路内置換動作を行うことを特徴とする請求項８に記載の液体噴射装置の液体排出方法。
【発明の詳細な説明】
【技術分野】
【０００１】
本発明は、プリンターなどの液体噴射装置、液体噴射装置の液体排出方法に関する。
【背景技術】
【０００２】
液体噴射装置の一例として、インクカートリッジ（液体供給源）から供給されたインク（液体）を液体噴射ヘッド（液体噴射部）から用紙に噴射して印刷するインクジェット式のプリンターがある。こうしたプリンターのなかには、溶媒に顔料を分散させた顔料インクを用いて印刷するものがある（例えば特許文献１）。
【０００３】
顔料インクは、時間の経過により溶媒内で顔料が沈降し、インクの濃度に偏りが生じることがある。そのため、プリンターでは、インクカートリッジから液体噴射ヘッドにインクを供給する液体流路（供給流路）にインクを循環させる循環流路を設けると共に、洗浄液による洗浄を可能としていた。すなわち、プリンターでは、循環流路においてインクを流動させてインクを攪拌し、攪拌動作でも分散されずに残った沈降物を洗浄液により洗い流していた。
【先行技術文献】
【特許文献】
【０００４】
【特許文献１】特開２０１３−２３７２０９号公報
【発明の概要】
【発明が解決しようとする課題】
【０００５】
洗浄液による洗浄は、液体流路及び循環流路からインクを排出して行う。しかし、液体噴射ヘッドからインクを吸引して排出すると、循環流路にインクが残ってしまいインクを容易に排出することができなかった。
【０００６】
こうした課題は、循環流路を備えるプリンターに限らず、循環流路を備える液体噴射装置、及び液体噴射装置の液体排出方法においては、概ね共通している。
本発明の目的は、循環流路内の液体を効率よく排出できる液体噴射装置、及び液体噴射装置の液体排出方法を提供することにある。
【課題を解決するための手段】
【０００７】
以下、上記課題を解決するための手段及びその作用効果について記載する。
上記課題を解決する液体噴射装置は、ノズルから液体を噴射する液体噴射部と、液体供給源から前記液体を前記ノズルに供給可能に設けられた供給流路と、両端が前記供給流路と接続され、該供給流路と循環流路を形成する帰還流路と、前記帰還流路に接続され、該帰還流路内と外部とを連通可能な連通流路と、前記循環流路内の流体を流動可能なポンプと、を備え、前記連通流路により前記帰還流路が外部と連通した状態で前記ポンプを駆動して、該帰還流路内の前記液体を前記供給流路側に排出する帰還流路内置換動作を行う。
【０００８】
この構成によれば、帰還流路内置換動作では、循環流路を形成する帰還流路が外部と連通した状態でポンプを駆動するため、帰還流路に空気を取り入れながら液体を流動させ、帰還流路内の液体を容易に空気と置換できる。したがって、循環流路内の液体を効率よく排出できる。
【０００９】
上記液体噴射装置は、前記液体噴射部に負圧を印加して該液体噴射部内の前記流体を外部へ排出させる前記ポンプとして機能する吸引ポンプを備え、前記帰還流路内置換動作を行った後、前記帰還流路を外部と非連通としかつ前記供給流路において前記液体供給源が接続される上流端が外部と連通した状態で前記吸引ポンプを駆動して、前記供給流路内の前記液体を、前記液体噴射部を介して排出する供給流路内置換動作を行うことが好ましい。
【００１０】
この構成によれば、供給流路内置換動作では、供給流路の上流端が外部と連通した状態で吸引ポンプを駆動する。そのため、供給流路の上流端から空気を取り入れながら供給流路内の液体を流動させ、供給流路内の液体を容易に空気と置換できる。したがって、帰還流路内置換動作により供給流路側に排出された液体を供給流路から効率よく排出できる。
【００１１】
上記液体噴射装置は、前記吸引ポンプを駆動して前記帰還流路内置換動作を行うことが好ましい。
この構成によれば、帰還流路内置換動作では、帰還流路が外部と連通した状態で吸引ポンプを駆動して液体噴射部内の流体を外部へ排出させる。したがって、帰還流路から供給流路に移動した液体は、液体噴射部を介して外部に排出されるため、帰還流路内置換動作及び供給流路内置換動作を効率よく行うことができる。
【００１２】
上記液体噴射装置は、前記供給流路の上流端を外部と非連通とした状態で前記帰還流路内置換動作を行うことが好ましい。
この構成によれば、帰還流路内置換動作では、帰還流路を外部と連通させ、供給流路の上流端を外部と非連通としてポンプを駆動する。そのため、供給流路の上流端を外部と連通させた状態でポンプを駆動する場合に比べ、帰還流路から供給流路側への液体の流動を安定させることができる。
【００１３】
上記液体噴射装置において、前記帰還流路は、第１端が前記供給流路の第１位置に接続され、前記第１端とは反対側の第２端が前記供給流路における前記第１位置よりも前記ノズル側となる第２位置に接続され、前記ポンプとして機能する循環ポンプは、前記帰還流路において前記連通流路が接続された接続位置と前記第１位置との間に配置され、前記帰還流路内置換動作を行った後、前記帰還流路を外部と非連通とした状態で前記循環ポンプを駆動する循環動作を行い、前記循環動作を行った後、前記供給流路内の前記液体を外部に排出する供給流路内置換動作を行うことが好ましい。
【００１４】
帰還流路内置換動作では、帰還流路に液体が残ることがある。その点、この構成によれば、帰還流路内置換動作を行った後に循環動作を行うため、帰還流路に残った液体を循環動作により供給流路に移動させ、さらに供給流路内置換動作により液体を外部に排出できる。
【００１５】
上記液体噴射装置は、前記循環流路に設けられ、該循環流路における流動方向への前記流体の流れを許容し、前記流動方向とは反対の方向への前記流体の流れを抑制する一方向弁を備え、前記ポンプとして機能する循環ポンプは、前記循環流路内の前記流体を前記流動方向に流動させることが好ましい。
【００１６】
この構成によれば、循環流路に設けられた一方向弁と循環ポンプを備え、循環ポンプは一方向弁が流体の流れを許容する流動方向に流体を流動させる。そのため、循環流路内において流体を安定して流動させることができる。
【００１７】
上記課題を解決する液体噴射装置の液体排出方法は、ノズルから液体を噴射する液体噴射部と、液体供給源から前記液体を前記ノズルに供給可能に設けられた供給流路と、両端が前記供給流路と接続され、該供給流路と循環流路を形成する帰還流路と、前記帰還流路に接続され、該帰還流路内と外部とを連通可能な連通流路と、を備える液体噴射装置の液体排出方法であって、前記連通流路により前記帰還流路が外部と連通した状態で、該帰還流路内の前記液体を前記供給流路側に排出する帰還流路内置換動作を行う。この構成によれば、上記液体噴射装置と同様の効果を奏することができる。
【００１８】
上記液体噴射装置の液体排出方法は、前記帰還流路内置換動作を行った後、前記帰還流路を外部と非連通としかつ前記供給流路において前記液体供給源が接続される上流端が外部と連通した状態で、前記供給流路内の前記液体を、前記液体噴射部を介して排出する供給流路内置換動作を行うことが好ましい。この構成によれば、上記液体噴射装置と同様の効果を奏することができる。
【００１９】
上記液体噴射装置の液体排出方法は、前記帰還流路に配置され、前記循環流路内の流体を流動可能な循環ポンプを備え、前記帰還流路内置換動作を行った後、前記帰還流路を外部と非連通とした状態で前記循環ポンプを駆動する循環動作を行い、前記循環動作を行った後、前記供給流路内置換動作を行うことが好ましい。この構成によれば、上記液体噴射装置と同様の効果を奏することができる。
【図面の簡単な説明】
【００２０】
【図１】液体噴射装置の一実施形態の全体構成図。
【図２】図１の液体噴射装置の電気的構成を示すブロック図。
【図３】図１の液体噴射装置が備える圧力調整機構の断面図。
【図４】図１の液体噴射装置が備えるフィルターユニット及び流入規制部の断面図。
【図５】図１の液体噴射装置が流体を排出するときの動作順序を示すフローチャート。
【図６】図１の液体噴射装置が液体を排出するときの動作順序を示すフローチャート。
【図７】図１の液体噴射装置の帰還流路内置換動作を行う前の模式図。
【図８】図１の液体噴射装置の帰還流路内置換動作時の模式図。
【図９】図１の液体噴射装置の循環動作時の模式図。
【図１０】図１の液体噴射装置の供給流路内置換動作時の模式図。
【図１１】第１変更例の液体噴射装置の模式図。
【図１２】第２変更例の液体噴射装置の帰還流路内置換動作を行う前の模式図。
【図１３】図１２の液体噴射装置の帰還流路内置換動作時の模式図。
【図１４】図１２の液体噴射装置の供給流路内置換動作時の模式図。
【図１５】第３変更例の液体噴射装置の帰還流路内置換動作時の模式図。
【図１６】図１５の液体噴射装置の循環動作時の模式図。
【図１７】図１５の液体噴射装置の供給流路内置換動作時の模式図。
【発明を実施するための形態】
【００２１】
以下、液体噴射装置及び液体噴射装置の液体排出方法の実施形態について、図を参照して説明する。液体噴射装置は、例えば、用紙などの媒体に液体の一例であるインクを噴射することによって記録（印刷）を行うインクジェット式のプリンターである。
【００２２】
図１に示すように、液体噴射装置１１は、媒体Ｓに向けてノズル１２から液体を噴射する液体噴射部１３と、液体供給源１４から液体をノズル１２に供給可能に設けられた供給流路１５と、液体噴射部１３のメンテナンスを行うためのメンテナンス装置２０と、を備える。本実施形態の液体噴射装置１１は、液体供給源１４として、異なる種類の液体を収容する複数の液体収容体を備え、ノズル１２及び供給流路１５は液体の種類に応じて設けられる。また、ノズル１２は１種の液体に対して複数設けられる。
【００２３】
少なくとも１つの液体供給源１４に収容される液体は、溶液である水に対して沈降性を示す顔料を混ぜたインク（例えば、白色の顔料を含むホワイトインク）であり、他の液体供給源１４に収容される液体は、顔料を含まないか、顔料の含有量が少ないインク（例えば、シアン、マゼンタ、イエローなどのカラーインク）である。
【００２４】
液体供給源１４は、例えば液体を収容する袋体１４ａと、袋体１４ａを収容する収容ケース１４ｂと、袋体１４ａに収容された液体を収容ケース１４ｂの外に導出するための導出部１４ｃと、を備える。この場合、液体噴射装置１１は、液体供給源１４が着脱可能に装着される装着部３０を備える。
【００２５】
装着部３０は、液体供給源１４の液体を液体噴射部１３に向けて加圧供給するための供給ポンプ３１を備える。供給ポンプ３１は、例えばダイヤフラムポンプであり、供給ポンプ３１の上流側と下流側にはそれぞれ一方向弁３２，３３が設けられる。供給ポンプ３１は、例えばチューブポンプでもよいし、収容ケース１４ｂ内に加圧した気体を送出して袋体１４ａを押し潰すことにより液体を供給する送気ポンプでもよい。そして、供給ポンプ３１がチューブポンプまたは送気ポンプの場合には一方向弁３２，３３を設けなくてもよい。
【００２６】
供給流路１５の途中に液体を一時貯留する液体貯留部６３を設けると、液体噴射部１３に供給される液体の圧力が安定する。液体貯留部６３は、内部を大気開放した開放系のタンクにしてもよいが、壁面の一部を撓み変位可能なフィルム６３ａで形成した閉鎖系の液体貯留室にすると、液体への気体の混入が抑制できる。
【００２７】
液体噴射部１３は、液体供給源１４から供給される液体が一時貯留される共通液室１７と、複数のノズル１２に個別に対応するように設けられる複数のキャビティ１８と、を備える。共通液室１７とキャビティ１８は、ノズル１２に液体を供給する供給流路１５の一部を構成する。液体噴射部１３は、各キャビティ１８に個別に対応するように設けられる複数のアクチュエーター１９を備え、アクチュエーター１９の駆動により、ノズル１２から液体が噴射される。
【００２８】
共通液室１７の上流側に、加圧供給される液体の圧力を調整する圧力調整機構７０を設けると、ノズル１２に供給される液体の圧力が安定する。共通液室１７の上流側には、液体を濾過するフィルター３４を設けるとよい。フィルター３４は、液体噴射部１３内を通過できない異物を捕集可能な捕集能力を備える。
【００２９】
液体噴射装置１１が液体噴射部１３を保持する保持部１６を備える場合、保持部１６が圧力調整機構７０及びフィルター３４を保持するようにしてもよい。保持部１６は、シリアルタイプの液体噴射部１３を保持して媒体Ｓを横切るように往復移動するキャリッジであってもよいし、ラインヘッドタイプの液体噴射部１３を媒体Ｓの搬送経路上に固定して配置するものであってもよい。
【００３０】
液体噴射装置１１では、ノズル１２の目詰まり、液体噴射部１３への気泡の混入、またはノズル１２周辺への異物の付着などに起因して生じる噴射不良の予防または解消のために、フラッシング、キャッピング及び吸引クリーニングなどのメンテナンス動作を行う。フラッシングとは、ノズル１２から液体を吐き捨てることによって、噴射不良の原因となる異物、気泡または変質した液体（例えば増粘したインク）を排出することをいい、軽度の噴射不良を解消するために実行される。
【００３１】
メンテナンス装置２０は、キャップ２１と、上流端がキャップ２１に接続される吸引チューブ２２と、吸引チューブ２２の途中位置に設けられる吸引ポンプ２３と、吸引チューブ２２の下流端が接続される廃液収容部２４と、を有する。吸引ポンプ２３は、例えばチューブポンプとすることができるが、他の形式のポンプでもよい。
【００３２】
キャップ２１及び液体噴射部１３のうち少なくとも一方は、ノズル１２が開口する空間を閉空間とするキャッピング位置と、ノズル１２が開口する空間を開放空間とする退避位置との間で、相対移動するように構成される。そして、キャップ２１がキャッピング位置に配置されることによって、キャッピングが行われる。液体の噴射を行わない時には、メンテナンス装置２０がキャッピングを行ってノズル１２の乾燥を抑制することによって、噴射不良の発生を予防する。
【００３３】
吸引ポンプ２３は、液体噴射部１３に負圧を印加して液体噴射部１３内の流体を外部へ排出させる。具体的には、キャップ２１をキャッピング位置に配置して形成した閉空間に、吸引ポンプ２３の駆動によって生じた負圧を作用させると、その負圧によってノズル１２から流体が吸引排出される。これを吸引クリーニングという。吸引クリーニングによってノズル１２から排出された液体は、廃液として廃液収容部２４に収容される。吸引クリーニングを行うときには、供給ポンプ３１を駆動して、液体供給源１４の液体を加圧供給してもよい。吸引クリーニングにより、気泡等の異物を含む液体がノズル１２から排出されると同時に、液体供給源１４から供給された新しい液体が供給流路１５に充填される。
【００３４】
例えばホワイトインクなど、沈降性を示す成分を含む液体が流れる供給流路１５には、両端が供給流路１５と接続される帰還流路３５が設けられる。帰還流路３５は、第１端が供給流路１５の第１位置Ｐ１に接続されるとともに、第１端とは反対側の第２端が供給流路１５における第１位置Ｐ１よりもノズル１２に近い第２位置Ｐ２に接続される。すなわち、第２端は、第１位置Ｐ１よりもノズル１２側となる第２位置Ｐ２に接続される。
【００３５】
供給流路１５において、液体供給源１４から第１位置Ｐ１までを上流流路１５ａとし、第１位置Ｐ１から第２位置Ｐ２までを中間流路１５ｂとし、第２位置Ｐ２から液体噴射部１３までの液体の流路と、液体噴射部１３のノズル１２に至る液体の流路を含めて下流流路１５ｃとする。
【００３６】
供給流路１５と帰還流路３５は、循環流路３６を形成する。液体貯留部６３は、帰還流路３５が接続される供給流路１５において、第１位置Ｐ１と第２位置Ｐ２の間に位置して循環流路３６を構成する中間流路１５ｂに設けるとよい。供給流路１５及び帰還流路３５において流体が流れる方向を図１に矢印で示す。供給ポンプ３１は、供給流路１５の第１位置Ｐ１より液体供給源１４に近い上流流路１５ａに配置されて、液体供給源１４から液体噴射部１３に向けて液体を供給する。
【００３７】
液体噴射装置１１は、循環流路３６内の流体を流動可能な循環ポンプ３７と、帰還流路３５の一部を構成する交換可能なフィルターユニット４０と、帰還流路３５内と外部とを連通可能な態様で帰還流路３５に接続された連通流路３８と、を備える。
【００３８】
循環ポンプ３７は、例えばチューブポンプであり、一方向に回転駆動した場合に流路を形成するチューブを押圧して流体を圧送し、その逆方向に回転駆動した場合にチューブの押圧を解除して流体の流通を許容する。循環流路３６において循環ポンプ３７が液体を圧送する方向（図１に矢印で示す方向）を流動方向とする。すなわち、循環ポンプ３７は、循環流路３６内の流体を流動方向に流動させる。循環ポンプ３７は、ノズル１２に形成されたメニスカスを壊さない圧力で流体を循環させる。
【００３９】
循環ポンプ３７は、ダイヤフラムポンプなど、他の形式のポンプでもよい。液体噴射装置１１は、印刷を行わないときに循環ポンプ３７を駆動して、循環流路３６において液体を循環させることによって液体を攪拌し、顔料などの沈降を抑制または解消する。
【００４０】
フィルターユニット４０は、異物を捕集するフィルター４１と、フィルター４１を通過する前の一次側で液体を貯留する上流側フィルター室４２と、を有する。連通流路３８は、上流側フィルター室４２に接続するとよい。上流側フィルター室４２にはフィルター４１が捕集した気体が溜まるので、上流側フィルター室４２に連通流路３８を接続すると、捕集された気体が、連通流路３８を通じて外部に排出される。
【００４１】
フィルター４１を上流側フィルターとしたときに、供給流路１５の第２位置Ｐ２からノズル１２に向かう下流流路１５ｃに配置されるフィルター３４は、下流側フィルターとなる。下流側フィルターであるフィルター３４は、上流側フィルターであるフィルター４１より異物を捕集する能力が低くてもよい。
【００４２】
循環ポンプ３７は、例えば、帰還流路３５において連通流路３８が接続された接続位置Ｐ３と第１位置Ｐ１との間に配置される。接続位置Ｐ３は、帰還流路３５の第１端と第２端の間にある。本実施形態では、帰還流路３５において、接続位置Ｐ３から第２位置Ｐ２までを分流流路３５ａとし、分流流路３５ａが設けられる領域を「分流領域」とする。帰還流路３５において、接続位置Ｐ３から第１位置Ｐ１までを合流流路３５ｂとし、合流流路３５ｂが設けられる領域（概ね図１に二点鎖線で囲む領域）を「合流領域」とする。
【００４３】
分流領域には、循環流路３６を構成する帰還流路３５内の圧力を検出可能な圧力センサー６０を設けるとよい。液体噴射装置１１は、循環流路３６に設けられ、循環流路３６における流動方向への流体の流れを許容し、流動方向とは反対の方向への流体の流れを抑制する少なくとも１つ（本実施形態では２つ）の一方向弁６１，６２を備えるとよい。例えば、分流領域において圧力センサー６０とフィルターユニット４０との間には、第２位置Ｐ２からフィルターユニット４０に向かう流体の流れを許容するとともに、その逆方向への流体の流れを抑制する一方向弁６１を設けるとよい。
【００４４】
合流領域において循環ポンプ３７と第１位置Ｐ１との間には、循環ポンプ３７から第１位置Ｐ１に向かう流体の流れを許容するとともに、その逆方向への流体の流れを抑制する一方向弁６２を設けるとよい。合流領域において一方向弁６２と第１位置Ｐ１の間にも、液体貯留部６３を設けるとよい。
【００４５】
連通流路３８には、開閉弁３９が設けられている。開閉弁３９は、気体排出ユニット４６やアダプター４７（図８参照）が装着されると開弁して連通流路３８を開放し、気体排出ユニット４６やアダプター４７が取り外されると閉弁して連通流路３８を閉塞する。気体排出ユニット４６が装着された場合には、連通流路３８は、気体排出ユニット４６が備える排出流路４８と連通する。アダプター４７が装着された場合には、連通流路３８は外部と連通する。
【００４６】
気体排出ユニット４６は、気体を外部に排出するための排出流路４８と、外部から連通流路３８への流体の混入を規制可能な流入規制部４９と、気体と液体とを分離させる気液分離部５０と、を備える。流入規制部４９は、例えば、連通流路３８内から外部への流体の流出を許容し、外部から連通流路３８への気体（空気）の流入や排出流路４８内からフィルターユニット４０側への流体の逆流を規制する一方向弁である。気液分離部５０は、流入規制部４９より下流に設けられ、排出流路４８からの気体の排出を許容し、排出流路４８からの液体の排出を規制する。
【００４７】
図２に示すように、液体噴射装置１１は、アクチュエーター１９，供給ポンプ３１，循環ポンプ３７及び吸引ポンプ２３を含む構成要素を制御する制御部１００と、各種構成要素の動作状況を表示したり指示を入力したりする操作パネル６４と、を備える。制御部１００は、これら構成要素の制御に用いるプログラムを記憶したメモリー１０１を備え、メモリー１０１に記憶されたプログラムを実行することによって、各種の処理を行う。また、制御部１００は、圧力センサー６０と電気的に接続されている。
【００４８】
制御部１００は、所定のタイミングで、フィルター４１の目詰まりの程度を推測する処理を実行する。例えば、循環ポンプ３７が駆動していないときに圧力センサー６０が検出した圧力値を停止圧力値とし、循環ポンプ３７が駆動しているときに圧力センサー６０が検出した圧力値を駆動圧力値とすると、制御部１００は、停止圧力値と駆動圧力値をメモリー１０１に記憶させる。そして、制御部１００は、停止圧力値と駆動圧力値との差が設定された閾値より大きい場合に、フィルター４１が交換を要する程度に目詰まりしていると推測する。このとき、制御部１００は、循環ポンプ３７の駆動状況及び圧力センサー６０が検出した圧力値に基づいてフィルター４１の目詰まりの程度を推測する推測手段として機能する。
【００４９】
この推定に用いる閾値は、予め実験やシミュレーションによって算出し、制御部１００が備えるメモリー１０１が記憶しておいてもよいし、ユーザーが操作パネル６４などを通じて入力するようにしてもよい。フィルター４１が交換を要する程度に目詰まりしていると制御部１００が推測した場合、操作パネル６４などを通じて、その旨をユーザーに報知すると、フィルターユニット４０が適切な時期に交換される。
【００５０】
次に、圧力調整機構７０の一実施形態について説明する。
図３に示すように、圧力調整機構７０は、供給流路１５の途中に設けられる供給室７１と、供給室７１と連通孔７２を介して連通可能な圧力室７３と、連通孔７２を開閉可能な弁体７４と、基端側が供給室７１に収容されるとともに先端側が圧力室７３に収容される受圧部材７５と、を備える。供給室７１、連通孔７２、及び圧力室７３は、ノズル１２に液体を供給する供給流路１５の一部を構成する。
【００５１】
弁体７４は、例えば供給室７１内に位置する受圧部材７５の基端部分を囲むように取り付けられた環状の弾性体からなる。フィルター３４は、例えば、供給室７１への流入口に設置することができる。なお、受圧部材７５の先端側に設けられた薄板状の受圧部から供給室７１に延びる棒状部を途中で分割し、供給室７１側の棒状部を弁体７４と一体化してもよい。
【００５２】
圧力室７３の壁面の一部は、撓み変位可能な可撓膜７７により形成される。また、圧力調整機構７０は、供給室７１に収容される第１付勢部材７８と、圧力室７３に収容される第２付勢部材７９を備える。第１付勢部材７８は、受圧部材７５を介して、連通孔７２を閉塞する方向に弁体７４を付勢する。
【００５３】
受圧部材７５は、圧力室７３の容積を小さくする方向に撓み変位する可撓膜７７に押されることにより、変位する。また、可撓膜７７は、ノズル１２からの液体の排出に伴って圧力室７３の内圧が低下したときに、圧力室７３の容積を小さくする方向に撓み変位する。そして、可撓膜７７の圧力室７３側となる内側の面にかかる圧力（内圧）が可撓膜７７の圧力室７３の反対側となる外側の面にかかる圧力（外圧）より低くなり、かつ、内側の面にかかる圧力と外側の面にかかる圧力との差が設定値（例えば１ｋＰａ）以上になると、受圧部材７５が変位して、弁体７４が閉弁状態から開弁状態となる。
【００５４】
なお、設定値とは、第１付勢部材７８と第２付勢部材７９の付勢力、可撓膜７７を変位させるために必要な力、弁体７４によって連通孔７２を閉塞するために必要な押圧力（シール荷重）、受圧部材７５の供給室７１側および弁体７４の表面に作用する供給室７１内の圧力及び圧力室７３内の圧力に応じて決まる値である。つまり、第１付勢部材７８と第２付勢部材７９の付勢力の合計が大きいほど、設定値は大きくなる。第１付勢部材７８と第２付勢部材７９の付勢力は、例えば、圧力室７３内の圧力が、ノズル１２における気液界面にメニスカスを形成可能な範囲の負圧状態（例えば可撓膜７７の外側の面にかかる圧力が大気圧の場合、−１ｋＰａ）となるように設定される。
【００５５】
連通孔７２が開放されて供給室７１から圧力室７３に液体が流入すると、圧力室７３の内圧が上昇する。そして、圧力室７３の内圧が上述の設定値になると、弁体７４が連通孔７２を閉塞する。そのため、供給室７１に液体が加圧供給されても、ノズル１２から液体が排出されても、圧力室７３からキャビティ１８までの圧力（ノズル１２の背圧）は、概ね設定値程度に維持される。
【００５６】
本実施形態において、圧力調整機構７０は、供給流路１５の第２位置Ｐ２から液体噴射部１３に向かう下流流路１５ｃに配置される。そして、供給流路１５を連通状態と非連通状態とに切替可能な弁体７４を有して、弁体７４より下流の領域の圧力が外部空間の圧力未満である設定値より小さくなった場合に、弁体７４が自律的に供給流路１５（連通孔７２）を連通状態から非連通状態に切り替える。そのため、圧力調整機構７０は差圧弁（差圧弁の中でも特に減圧弁）に分類される。
【００５７】
圧力調整機構７０には、強制的に連通孔７２を開いて液体を液体噴射部１３に供給する開弁機構８１を付加してもよい。開弁機構８１は、例えば、可撓膜７７により圧力室７３と区画された収容室８２に収容された加圧袋８３と、加圧袋８３内に気体を流入させる加圧流路８４とを備える。そして、加圧流路８４を通じて流入する気体により加圧袋８３がふくらみ、可撓膜７７を圧力室７３の容積を小さくする方向に撓み変位させることによって、強制的に連通孔７２を開く。開弁機構８１が強制的に連通孔７２を開くことによって、供給流路１５（連通孔７２）を強制的に非連通状態から連通状態に切り替えることができる。
【００５８】
次に、フィルターユニット４０の一実施形態について説明する。
図４に示すように、フィルターユニット４０は、円筒状のケース４３を備える。フィルター４１は円筒状をなして、ケース４３と中心軸が重なるようにケース４３内に配置される。帰還流路３５は、円筒状をなすケース４３の円形状の底面及び上面に接続される。上流側フィルター室４２は、ケース４３とフィルター４１の間に囲み形成されることにより、帰還流路３５の一部を構成する。
【００５９】
フィルター４１は、円筒の内周面により形成される孔４１ａを有するとともに、フィルター４１の底面部分と上面部分は円盤状の支持板４４によって閉塞される。孔４１ａの上端は上面側の支持板４４により閉塞され、孔４１ａの下端側は底面側の支持板４４を貫通する。孔４１ａ内の空間はフィルター４１の二次側であって、帰還流路３５の合流領域を構成する。
【００６０】
フィルターユニット４０は、一次側（上流側）が二次側（下流側）よりも高くなるように傾斜して配置するとよい。また、連通流路３８は、上流側フィルター室４２における鉛直方向の上端部に接続するとよい。こうすると、上流側フィルター室４２に入った気体が、上流側フィルター室４２における最も高い位置となるコーナー部に溜まるので、連通流路３８には液体よりも気体が入りやすくなる。
【００６１】
帰還流路３５において、上流側となる分流領域からフィルターユニット４０に流体が入ると、その流体は一時的に上流側フィルター室４２に貯留された後、フィルター４１の外周面からフィルター４１内に進入して孔４１ａに至る。このとき、気泡を含む異物はフィルター４１に捕集される。また、フィルター４１に捕集された気泡は、上流側フィルター室４２の上部に溜まって、連通流路３８及び排出流路４８から流路の外部に流出する。そして、フィルター４１により異物が濾過された液体は、孔４１ａを通じてフィルターユニット４０の下流側の合流領域に移動する。なお、図４に示す構成中において、流体が流れる方向を矢印で示す。
【００６２】
次に、気液分離部５０の一実施形態について説明する。
図４に示すように、気液分離部５０は、排出流路４８の末端で液体を一時貯留する脱気室５１と、脱気室５１と脱気膜５２で区画された排気室５３と、排気室５３を外部に連通させる排気路５４と、を備える。脱気膜５２は、気体を通過させるが液体を通過させない性質を有する。脱気膜５２としては、例えば、ＰＴＦＥ（ポリテトラフルオロエチレン）を特殊延伸加工して作られるフィルムに、０．２ミクロン程度の微細な孔を多数形成したものを採用することができる。脱気室５１に気体を含む液体が流入すると、気体のみが脱気膜５２を通過して排気室５３に入り、排気路５４を通じて外部に排出される。これにより、排出流路４８からの液体の排出を抑制しつつ、脱気室５１に貯留された液体に混入した気泡や溶存ガスが除去される。
【００６３】
次に、液体噴射装置１１の流体排出方法について説明する。
液体噴射装置１１の使用開始前には、液体供給源１４からノズル１２までつながる供給流路１５に気体が入っているため、その気体を排出して液体を充填する初期充填を行う。この初期充填を行うときの流体排出方法として、制御部１００は、以下に説明する初期充填処理を実行する。
【００６４】
図５に示すように、まず、制御部１００は、排出工程として、供給ポンプ３１を所定時間駆動させる（ステップＳ１１）。これにより、液体供給源１４の液体を供給流路１５に流出させて、供給流路１５内の液体供給源１４から第２位置Ｐ２まで（上流流路１５ａ及び中間流路１５ｂ）にある流体（主に気体）及び帰還流路３５内の第２位置Ｐ２から接続位置Ｐ３まで（分流流路３５ａ）にある流体（主に気体）を、連通流路３８及び気体排出ユニット４６を通じて排出する。このとき、上流流路１５ａ、中間流路１５ｂ、及び分流流路３５ａに液体が充填される。この段階で、合流流路３５ｂ及び下流流路１５ｃにはまだ気体が残っている。
【００６５】
なお、排出工程の前に吸引クリーニングを実行し、供給流路１５に液体を充填しておいてもよい。この場合、吸引クリーニングに代えて、供給ポンプ３１及び開弁機構８１を駆動することによって、供給流路１５に液体を充填してもよい。
【００６６】
制御部１００は、排出工程の後、移動工程として、循環ポンプ３７を所定時間駆動させる（ステップＳ１２）。これにより、帰還流路３５内の接続位置Ｐ３から第１位置Ｐ１まで（図１に二点鎖線で囲む帰還流路３５の合流領域）の流体（主に気体）が供給流路１５に流動する。このとき、帰還流路３５の分流領域から合流領域に液体が移動して、帰還流路３５への液体の充填が完了する。この段階で、供給流路１５には帰還流路３５の合流領域から移動してきた気体があり、また、液体噴射部１３を含む供給流路１５の下流流路１５ｃにも気体が残っている。
【００６７】
移動工程では、中間流路１５ｂに充填された液体が帰還流路３５の分流領域に移動するので、中間流路１５ｂの内容積は、帰還流路３５の合流領域の内容積より大きくしておくとよい。なお、排出工程の前に供給流路１５の全体に液体を充填しておくと、移動工程において供給流路１５から帰還流路３５に気体が入りにくい。
【００６８】
制御部１００は、移動工程の後、充填工程として、キャッピングをした状態で吸引ポンプ２３を所定時間駆動させて、吸引クリーニングを実行する（ステップＳ１３）。これにより、帰還流路３５から供給流路１５に移動した気体と、供給流路１５の下流流路１５ｃに残っていた気体とが、液体噴射部１３のノズル１２から排出される。充填工程では、吸引ポンプ２３とともに供給ポンプ３１を駆動してもよい。あるいは、充填工程において吸引ポンプ２３を駆動する代わりに、供給ポンプ３１及び開弁機構８１を駆動して、液体を供給流路１５及び液体噴射部１３に加圧供給するようにしてもよい。充填工程により、供給流路１５、帰還流路３５及び液体噴射部１３の全体への液体の充填が完了する。これにより、初期充填処理が終了する。
【００６９】
流路への液体の充填処理は、液体噴射装置１１の使用開始時の他、フィルターユニット４０の交換後にも行うとよい。供給流路１５及び帰還流路３５から液体を抜かずにフィルターユニット４０の交換を行った場合には、初期充填の排出工程を省略して、移動工程及び充填工程を行えばよい。また、気液分離部５０が交換可能なユニット構造の場合、フィルターユニット４０を交換して液体の充填をするときに、気液分離部５０も一緒に交換するとよい。
【００７０】
なお、印刷時など、加圧された液体が上流側フィルター室４２から連通流路３８及び排出流路４８を通じて脱気室５１に入ると、脱気膜５２から液体が浸みだしてしまうことがある。このような液体の漏出のおそれがある場合、初期充填が終了した段階で気体排出ユニット４６を取り外しておいてもよい。この場合、フィルターユニット４０を交換して液体の充填を行う前に、新しい気体排出ユニット４６を取り付けるとよい。
【００７１】
次に、以上のように構成された液体噴射装置１１において、供給流路１５及び帰還流路３５に液体を充填する場合の作用について説明する。
初期充填処理の排出工程で供給ポンプ３１が駆動すると、供給流路１５の上流流路１５ａ、中間流路１５ｂ及び帰還流路３５の分流流路３５ａにあった気体が上流側フィルター室４２に入る。上流側フィルター室４２に入った気体は上流側フィルター室４２の上部に溜まり、その多くがフィルター４１を通過することなく気液分離部５０の脱気室５１に入り、脱気膜５２を通過する。そして、脱気膜５２を通過した気体は、排気室５３及び排気路５４を通じて流路の外部に出る。
【００７２】
排出工程で気体とともに液体が脱気室５１に入ると、液体は脱気膜５２に通過を妨げられ、脱気室５１に留まる。このようにして上流側フィルター室４２から気体が排出されると、上流側フィルター室４２は液体で満たされる。
【００７３】
移動工程において循環ポンプ３７が駆動すると、帰還流路３５では分流領域側が吸引されて、上流側フィルター室４２内に液体が流入する。上流側フィルター室４２に流入した液体は、循環ポンプ３７に吸引されてフィルター４１を通過し、二次側となる孔４１ａに入る。このとき、フィルター４１より下流の合流領域には気体があるが、フィルター４１より下流にある気体は連通流路３８からは出られないので、第１位置Ｐ１から供給流路１５に入る。また、気体が供給流路１５に入るのと入れ替わりに、帰還流路３５の合流領域が、循環流路３６を構成する中間流路１５ｂから流入してくる液体で満たされる。
【００７４】
ここで、帰還流路３５において液体が逆流しないように一方向弁６２を設けると、吸引ポンプ２３の駆動によっては帰還流路３５に液体を充填することができないが、排出工程と移動工程を行うことにより、帰還流路３５に液体が充填される。また、排出工程では、気体を液体で押して上流側フィルター室４２に入れ、上流側フィルター室４２の天井側から気体を優先的に抜くことにより、吸引クリーニングにより気体と液体を一緒に排出する場合よりも、液体の排出量が低減される。
【００７５】
充填工程では、供給流路１５に残った気体を吸引ポンプ２３の駆動によりノズル１２から排出するが、このとき気体とともに排出される液体は、中間流路１５ｂにおいて、帰還流路３５から移動してきた気体が入っていない領域にある分だけ（実質的に、中間流路１５ｂの内容積と帰還流路３５の合流領域の内容積の差に相当する液体量）でよい。そのため、初期充填において、気体の排出とともに消費される液体の量が少なくて済む。
【００７６】
また、初期充填後、印刷の合間などに循環流路３６において液体を循環させると、液体が攪拌されるとともに、帰還流路３５においてフィルター４１が異物を捕集する。これにより、異物が濾過された液体が中間流路１５ｂに戻り、液体噴射部１３に供給される。また、フィルター４１が捕集した気体や浮力で上流側フィルター室４２の上方に滞留した気体は、上流側フィルター室４２の上部から外部に排出することができるので、循環流路３６を形成する中間流路１５ｂから気体が除去される。
【００７７】
次に、液体噴射装置１１の液体排出方法について説明する。
液体噴射装置１１には、使用開始前に予め顔料などの色材を含まない液体（例えば充填液）が充填されているものもある。このような液体噴射装置１１における初期充填処理では、充填液を排出してからインクなどの液体を供給流路１５に初期充填する。また、初期充填を行って供給流路１５及び帰還流路３５にインクなどの液体が充填されている液体噴射装置１１では、フィルターユニット４０や循環ポンプ３７などを交換する場合や、液体の種類を変更する場合に、充填されている液体を排出することがある。液体噴射装置１１は、供給流路１５及び帰還流路３５内の液体を排出し、空気などの他の流体と置換する場合に液体排出処理を実行する。
【００７８】
図６に示すように、制御部１００は、帰還流路内置換動作を実行し（ステップＳ２１）、循環動作を実行し（ステップＳ２２）、供給流路内置換動作を実行する（ステップＳ２３）。すなわち、制御部１００は、帰還流路内置換動作を行った後、循環動作を行い、帰還流路内置換動作及び循環動作を行った後、供給流路内置換動作を行う。
【００７９】
次に、液体噴射装置１１において、供給流路１５及び帰還流路３５に充填された液体を排出する場合の作用について説明する。
図７に示すように、印刷時など帰還流路内置換動作を行う前の供給流路１５及び帰還流路３５には、液体が入っている。気体排出ユニット４６は、液体噴射装置１１から取り外されている。そのため、開閉弁３９は閉弁し、帰還流路３５は外部と非連通とされている。
【００８０】
図８に示すように、帰還流路内置換動作では、まず連通流路３８にアダプター４７を装着して開閉弁３９を開弁する。帰還流路３５は、開閉弁３９が開弁すると連通流路３８を介して外部と連通する。供給流路１５の上流端には、液体供給源１４が接続されている。
【００８１】
制御部１００は、連通流路３８により帰還流路３５が外部と連通し、供給流路１５の上流端を外部と非連通とした状態で吸引ポンプ２３及び循環ポンプ３７を駆動して、帰還流路３５内の液体を供給流路１５側に排出する。この点で吸引ポンプ２３及び循環ポンプ３７は、循環流路３６内の流体を流動可能なポンプとして機能する。
【００８２】
吸引ポンプ２３及び循環ポンプ３７が駆動されると、図８に矢印で示すように、液体噴射部１３から液体が排出されるとともに、連通流路３８から帰還流路３５に空気が流入する。これにより、合流流路３５ｂの液体が中間流路１５ｂへ移動し、さらに下流流路１５ｃを介してノズル１２から外部に排出される。そのため、合流流路３５ｂ、中間流路１５ｂ、下流流路１５ｃでは、液体が排出されて空気に置換され、分流流路３５ａ及び上流流路１５ａには液体が残っている。
【００８３】
帰還流路内置換動作は、循環ポンプ３７を非駆動とし、吸引ポンプ２３を駆動して行ってもよい。液体噴射装置１１は、流体の流通を許容する状態で循環ポンプ３７を非駆動とすることで、吸引ポンプ２３の駆動により合流流路３５ｂ内の液体を供給流路１５側に排出できる。
【００８４】
図９に示すように、循環動作では、制御部１００は、循環ポンプ３７を駆動し、吸引ポンプ２３を非駆動とする。循環ポンプ３７が駆動されると、図９に矢印で示すように、循環流路３６において流体が循環し、分流流路３５ａに残っていた液体が中間流路１５ｂに移動する。循環動作は、アダプター４７を連通流路３８から取り外し、開閉弁３９を閉弁して帰還流路３５を外部と非連通とした状態で循環ポンプ３７を駆動して行ってもよい。
【００８５】
図１０に示すように、供給流路内置換動作では、アダプター４７を連通流路３８から取り外して開閉弁３９を閉弁し、液体供給源１４を装着部３０から取り外す。すなわち、帰還流路３５を外部と非連通としかつ供給流路１５において液体供給源１４が接続される上流端が外部と連通した状態で制御部１００は、吸引ポンプ２３を駆動する。このとき、制御部１００は、供給ポンプ３１（図１参照）を駆動してもよいし、送気ポンプから送出される空気を排出可能な排出用アタッチメントを供給流路１５の上流端に接続して送気ポンプを駆動してもよい。循環ポンプ３７は、チューブを押圧して流体の流通を制限した状態、もしくはチューブの押圧を解除して流体の流通を許容する状態で非駆動とされる。
【００８６】
吸引ポンプ２３が駆動されると、図１０に矢印で示すように、供給流路１５の上流端から供給流路１５内に空気が流入すると共に、供給流路１５内の液体が液体噴射部１３を介して外部に排出される。
【００８７】
上記実施形態によれば、以下のような効果を得ることができる。
（１）帰還流路内置換動作では、循環流路３６を形成する帰還流路３５が外部と連通した状態でポンプを駆動するため、帰還流路３５に空気を取り入れながら液体を流動させ、帰還流路３５内の液体を容易に空気と置換できる。したがって、循環流路３６内の液体を効率よく排出できる。
【００８８】
（２）供給流路内置換動作では、供給流路１５の上流端が外部と連通した状態で吸引ポンプ２３を駆動する。そのため、供給流路１５の上流端から空気を取り入れながら供給流路１５内の液体を流動させ、供給流路１５内の液体を容易に空気と置換できる。したがって、帰還流路内置換動作により供給流路１５側に排出された液体を供給流路１５から効率よく排出できる。
【００８９】
（３）帰還流路内置換動作では、帰還流路３５が外部と連通した状態で吸引ポンプ２３を駆動して液体噴射部１３内の流体を外部へ排出させる。したがって、帰還流路３５から供給流路１５に移動した液体は、液体噴射部１３を介して外部に排出されるため、帰還流路内置換動作及び供給流路内置換動作を効率よく行うことができる。
【００９０】
（４）帰還流路内置換動作では、帰還流路３５を外部と連通させ、供給流路１５の上流端を外部と非連通としてポンプを駆動する。そのため、供給流路１５の上流端を外部と連通させた状態でポンプを駆動する場合に比べ、帰還流路３５から供給流路１５側への液体の流動を安定させることができる。
【００９１】
（５）帰還流路内置換動作では、帰還流路３５に液体が残ることがある。その点、帰還流路内置換動作を行った後に循環動作を行うため、帰還流路３５に残った液体を循環動作により供給流路１５に移動させ、さらに供給流路内置換動作により液体を外部に排出できる。
【００９２】
（６）循環流路３６に設けられた一方向弁６１，６２と循環ポンプ３７を備え、循環ポンプ３７は一方向弁６１，６２が流体の流れを許容する流動方向に流体を流動させる。そのため、循環流路３６内において流体を安定して流動させることができる。
【００９３】
上記実施形態は以下に示す変更例のように変更してもよい。上記実施形態と下記変更例とは、任意に組み合わせてもよい。下記変更例に含まれる構成同士を任意に組み合わせてもよい。
【００９４】
・図１１に示すように、帰還流路３５の第２端は、液体噴射部１３内において供給流路１５に接続してもよい（第１変更例）。例えば、帰還流路３５の第２端は、供給流路１５を構成する共通液室１７に接続してもよい。この場合、共通液室１７は、中間流路１５ｂとして機能し、キャビティ１８は、下流流路１５ｃとして機能する。
【００９５】
・液体噴射装置１１は、供給ポンプ３１及び一方向弁３２，３３を備えない構成としてもよい。液体噴射装置１１は、例えば水頭により液体供給源１４から液体噴射部１３に液体を供給してもよい。
【００９６】
・図１２〜図１４に示すように、液体噴射装置１１は、吸引ポンプ２３により帰還流路内置換動作及び供給流路内置換動作を行ってもよい（第２変更例）。液体噴射装置１１は、循環流路３６に設けられた一方向弁６１，６２を備えない構成としてもよい。液体噴射装置１１は、循環動作を行わなくてもよい。すなわち、液体噴射装置１１は、帰還流路内置換動作を行った後、供給流路内置換動作を行い、供給流路１５及び帰還流路３５内の液体を排出してもよい。液体噴射装置１１は、吸引ポンプ２３により帰還流路内置換動作及び供給流路内置換動作を行う場合に、流体の流通を許容する状態で循環ポンプ３７を非駆動としてもよい。液体噴射装置１１は、循環ポンプ３７を備えない構成としてもよい。
【００９７】
具体的には、図１２に示すように、帰還流路内置換動作を行う前の印刷時には、供給流路１５及び帰還流路３５に液体が入っている。開閉弁３９は閉弁し、連通流路３８は外部と非連通とされている。
【００９８】
図１３に示すように、帰還流路内置換動作では、液体噴射装置１１は、開閉弁３９を開弁して帰還流路３５を外部と連通させ、供給流路１５の上流端を外部と非連通とさせた状態で吸引ポンプ２３を駆動する。合流流路３５ｂ及び中間流路１５ｂの流路抵抗と分流流路３５ａの流路抵抗とがほぼ同じであれば、分流流路３５ａ、合流流路３５ｂ、中間流路１５ｂ、及び下流流路１５ｃの液体が液体噴射部１３を介して外部に排出され、上流流路１５ａには液体が残る。
【００９９】
図１４に示すように、供給流路内置換動作では、液体噴射装置１１は、帰還流路３５を外部と非連通とし、かつ供給流路１５の上流端が外部と連通した状態で吸引ポンプ２３を駆動する。これにより上流流路１５ａに残っていた液体が液体噴射部１３を介して外部に排出される。
【０１００】
・図１５〜図１７に示すように、液体噴射装置１１は、循環ポンプ３７により帰還流路内置換動作、循環動作、及び供給流路内置換動作を行ってもよい（第３変更例）。すなわち、液体噴射装置１１は、帰還流路内置換動作と供給流路内置換動作を吸引ポンプ２３を駆動しないで行ってもよい。液体噴射装置１１は、吸引ポンプ２３を備えない構成としてもよい。図７に示すように、帰還流路内置換動作を行う前の液体噴射装置１１は、供給流路１５及び帰還流路３５に液体が充填されている。
【０１０１】
図１５に示すように、帰還流路内置換動作では、液体噴射装置１１は、開弁機構８１により供給流路１５を連通状態とし、開閉弁３９を開弁して帰還流路３５を外部と連通させ、供給流路１５の上流端を外部と非連通とする。この状態で制御部１００は、循環ポンプ３７を駆動する。これにより合流流路３５ｂ、中間流路１５ｂ、及び下流流路１５ｃの液体が液体噴射部１３を介して外部に排出される。上流流路１５ａ及び分流流路３５ａには液体が残ることがある。
【０１０２】
図１６に示すように、循環動作では、液体噴射装置１１は、開閉弁３９を閉弁して帰還流路３５を外部と非連通とし、開弁機構８１により供給流路１５を非連通状態とする。この状態で制御部１００は、循環ポンプ３７を駆動する。これにより循環流路３６において流体が循環し、分流流路３５ａに残っていた液体が中間流路１５ｂに移動する。
【０１０３】
図１７に示すように、供給流路内置換動作では、液体噴射装置１１は、帰還流路３５を外部と連通させるとともに、供給流路１５の上流端を外部と連通させ、開弁機構８１により供給流路１５を連通状態とする。この状態で制御部１００は、循環ポンプ３７を駆動する。これにより上流流路１５ａに残っていた液体は、供給流路１５の上流端から外部に排出され、中間流路１５ｂに残っていた液体は、液体噴射部１３を介して外部に排出される。
【０１０４】
・供給流路内置換動作は、開弁機構８１により供給流路１５を連通状態とし、供給ポンプ３１を駆動して行ってもよい。帰還流路３５を外部と非連通とし、供給流路１５の上流端を外部と連通させた状態で供給ポンプ３１を駆動すると、供給流路１５内の液体が液体噴射部１３を介して外部に排出される。
【０１０５】
・供給流路１５から分岐し、外部と連通する分岐流路を設け、帰還流路内置換動作及び供給流路内置換動作では、分岐流路から液体を外部に排出してもよい。すなわち、液体は、液体噴射部１３を介さずに排出してもよい。
【０１０６】
・液体噴射装置１１は、供給流路１５の上流端と外部との連通状態を切り替える弁を備えてもよい。供給流路１５の上流端は、弁を開弁して外部と連通させ、弁を閉弁して外部と非連通とさせてもよい。
【０１０７】
・循環ポンプ３７は、帰還流路３５の接続位置Ｐ３と第２位置Ｐ２との間（分流領域）に配置してもよい。また、循環ポンプ３７を、帰還流路３５の圧力センサー６０と第２位置Ｐ２との間（分流領域）に配置してもよい。この場合、制御部１００は、循環ポンプ３７が駆動しているときに圧力センサー６０が検出した圧力値が設定された閾値より大きい場合に、フィルター４１が交換を要する程度に目詰まりしていると推測してもよい。
【０１０８】
・帰還流路３５に循環ポンプ３７を設けず、供給ポンプ３１を循環流路３６の液体を流動させるためのポンプとして使用してもよい。圧力調整機構７０がある場合、供給ポンプ３１の駆動により供給室７１より上流の供給流路１５が加圧状態になっても、圧力室７３の内圧が負圧である設定値にならなければ、液体は液体噴射部１３に供給されない。このように圧力調整機構７０が液体噴射部１３への液体の供給圧力を調整している状態で供給ポンプ３１を駆動すると、中間流路１５ｂを流れる液体は供給流路１５の下流領域に向かわず、第２位置Ｐ２から帰還流路３５に入る。これにより、循環流路３６において液体が循環する。
【０１０９】
・フィルター４１の目詰まりの程度に応じて、循環ポンプ３７の駆動を変更してもよい。例えば、フィルター４１が交換を要する程度に目詰まりしている場合、循環ポンプ３７の駆動に伴って循環流路３６内を流動する流体の流量を、目詰まりしていない場合より小さくすると、循環流路３６内の圧力上昇を低減することができる。
【０１１０】
・循環ポンプ３７を間欠駆動し、循環流路３６内の流体を脈動させてもよい。例えば、循環流路３６内の液体を撹拌し、顔料などの沈降を抑制または解消する場合には循環流路３６内の流体が脈動するように循環ポンプ３７を間欠駆動し、初期充填時など循環流路３６内から気体を排出する場合には循環ポンプ３７を連続駆動するとよい。
【０１１１】
・循環ポンプ３７の駆動に伴って循環流路３６内を流動する流体の流量を、顔料などの沈降を抑制または解消する場合と、初期充填時など循環流路３６内から気体を排出する場合とで変更してもよい。例えば、循環流路３６内から気体を排出する場合の流量を、顔料などの沈降を抑制または解消する場合の流量よりも大きくしてもよい。
【０１１２】
・供給ポンプ３１及び開弁機構８１を駆動して供給流路１５内の流体をノズル１２から排出するクリーニングにおいて、循環ポンプ３７も駆動し、供給流路１５内の圧力を上昇させてもよい。
【０１１３】
・液体噴射装置１１は、一方向弁６１，６２を備えない構成としてもよい。循環ポンプ３７は、帰還流路３５において第１位置Ｐ１から第２位置Ｐ２に向かう方向に流体を流動させてもよい。
【０１１４】
・上流流路１５ａの流路抵抗が合流流路３５ｂ及び連通流路３８の流路抵抗よりも大きい場合には、液体噴射装置１１は、帰還流路３５を外部と連通させるとともに、供給流路１５の上流端を外部と連通させた状態で帰還流路内置換動作を行ってもよい。
【０１１５】
・合流流路３５ｂ及び連通流路３８の流路抵抗が上流流路１５ａの流路抵抗よりも大きい場合には、液体噴射装置１１は、帰還流路３５を外部と連通させるとともに、供給流路１５の上流端を外部と連通させた状態で供給流路内置換動作を行ってもよい。
【０１１６】
・液体噴射装置１１は、帰還流路３５を外部と連通させるとともに、供給流路１５の上流端を外部と連通させ、循環ポンプ３７がチューブを押し潰して帰還流路３５を非連通とした状態で吸引ポンプ２３を駆動して供給流路内置換動作を行ってもよい。
【０１１７】
・媒体Ｓは用紙に限らず、プラスチックフィルムや薄い板材などでもよいし、捺染装置などに用いられる布帛であってもよい。
・液体噴射部１３が噴射する液体はインクに限らず、例えば機能材料の粒子が液体に分散又は混合されてなる液状体などであってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う構成にしてもよい。
【符号の説明】
【０１１８】
１１…液体噴射装置、１２…ノズル、１３…液体噴射部、１４…液体供給源、１４ａ…袋体、１４ｂ…収容ケース、１４ｃ…導出部、１５…供給流路、１５ａ…上流流路、１５ｂ…中間流路、１５ｃ…下流流路、１６…保持部、１７…共通液室、１８…キャビティ、１９…アクチュエーター、２０…メンテナンス装置、２１…キャップ、２２…吸引チューブ、２３…吸引ポンプ、２４…廃液収容部、３０…装着部、３１…供給ポンプ、３２，３３…一方向弁、３４…フィルター、３５…帰還流路、３５ａ…分流流路、３５ｂ…合流流路、３６…循環流路、３７…循環ポンプ、３８…連通流路、３９…開閉弁、４０…フィルターユニット、４１…フィルター、４１ａ…孔、４２…上流側フィルター室、４３…ケース、４４…支持板、４６…気体排出ユニット、４７…アダプター、４８…排出流路、４９…流入規制部、５０…気液分離部、５１…脱気室、５２…脱気膜、５３…排気室、５４…排気路、６０…圧力センサー、６１，６２…一方向弁、６３…液体貯留部、６３ａ…フィルム、６４…操作パネル、７０…圧力調整機構、７１…供給室、７２…連通孔、７３…圧力室、７４…弁体、７５…受圧部材、７７…可撓膜、７８…第１付勢部材、７９…第２付勢部材、８１…開弁機構、８２…収容室、８３…加圧袋、８４…加圧流路、１００…制御部、１０１…メモリー、Ｓ…媒体、Ｐ１…第１位置、Ｐ２…第２位置、Ｐ３…接続位置。
【図１】
2019051635.tif 000003
【図２】
2019051635.tif 000004
【図３】
2019051635.tif 000005
【図４】
2019051635.tif 000006
【図５】
2019051635.tif 000007
【図６】
2019051635.tif 000008
【図７】
2019051635.tif 000009
【図８】
2019051635.tif 000010
【図９】
2019051635.tif 000011
【図１０】
2019051635.tif 000012
【図１１】
2019051635.tif 000013
【図１２】
2019051635.tif 000014
【図１３】
2019051635.tif 000015
【図１４】
2019051635.tif 000016
【図１５】
2019051635.tif 000017
【図１６】
2019051635.tif 000018
【図１７】
2019051635.tif 000019